(57)【要約】      （修正有）【課題】冷却効率を高めて冷凍機の圧縮機の発停を減少し、省エネルギ化が図れる構造としたオープンショーケースを提供する。【解決手段】ケース本体６３内に前面が開口した陳列室６４を形成し、陳列室の上部前端の吹出口６８から吹き出され、陳列室の下部前端の吸込口６９に吸い込まれる冷気のエアカーテンで陳列室の開口部を覆う。冷気を循環するダクト６５の蓄熱パネル体１ｄ〜１ｉが、一対のパネル材の間に多数の中空筒状体が散在し、それぞれの中空筒状体の間に互いに連通した隙間が形成されたパネル体を備え、当該パネル体の縁部の隙間を封止してパネル体を容器とするための一対の表面シート材がパネル体の表裏面に重ねられ、これら表面シート材を容器の縁部を画定する溶着予定線に沿ってパネル体とともに熱溶着してパネル体の周囲を封じ、一対のパネル材間の互いに連通した隙間部分に潜熱型の蓄熱材を充填する。【選択図】図１
0003168321.tif 000002
【実用新案登録請求の範囲】
【請求項１】
ケース本体内に前面が開口した陳列室を形成し、陳列室の上部前端に設けた吹出口から下方に向けて吹き出され、陳列室の下部前端に設けた吸込口に吸い込まれる冷気のエアカーテンで陳列室の開口部を覆うことにより陳列室内を冷却するオープンショーケースにおいて、
前記冷気を循環するダクトに薄形平板状の蓄熱パネル体を設け、
この薄形平板状の蓄熱パネル体が、
一対のパネル材の間に多数の中空筒状体が散在し、それぞれの中空筒状体の間に互いに連通した隙間が形成されたパネル体を備え、当該パネル体の縁部の隙間を封止してパネル体を容器とするための一対の表面シート材がパネル体の表裏面に重ねられ、これら表面シート材を容器の縁部を画定する溶着予定線に沿ってパネル体とともに熱溶着してパネル体の周囲を封じ、一対のパネル材間の互いに連通した隙間部分に潜熱型の蓄熱材を充填して構成されている、
ことを特徴とするオープンショーケース。
【請求項２】
前記ダクトの内面に前記蓄熱パネル体を貼り合わせたことを特徴とする請求項１に記載のオープンショーケース。
【請求項３】
前記陳列室の陳列棚の裏面に前記蓄熱パネル体を貼り合わせたことを特徴とする請求項１又は２に記載のオープンショーケース。
【請求項４】
前記蓄熱パネル体が、
複数の袋状凹部を備える一対のパネル材を有し、各パネル材の袋状凹部の底部同士を当接させ各パネル材を重ね合わせてパネル体を形成し、一対のパネル材間の互いに連通した隙間部分に潜熱型の蓄熱材を充填して構成されていることを特徴とする請求項１乃至３のいずれか一項に記載のオープンショーケース。
【請求項５】
前記袋状凹部が前記底部に向かって縮径することを特徴とする請求項４に記載の蓄熱パネル体。
【請求項６】
前記蓄熱パネル体が、
複数の袋状凹部を備える一枚のパネル材と、このパネル材の袋状凹部の底部に当接させた一枚の板状部材とを重ね合わせてパネル体を形成し、このパネル体の間の互いに連通した隙間部分に潜熱型の蓄熱材を充填して構成されていることを特徴とする請求項１乃至３のいずれか一項に記載のオープンショーケース。
【考案の詳細な説明】
【技術分野】
【０００１】  本考案は、省エネルギ化が図れるオープンショーケースに関する。
【背景技術】
【０００２】  一般に、オープンショーケースとして、前面が開口した陳列室の上部前端に設けた吹出口から吹き出されて陳列室の下部前端に設けた吸込口に吸い込まれる冷気のエアカーテンで陳列室の開口部を覆うことにより陳列室内を冷却するオープンショーケースが知られている（例えば、特許文献１参照）。このようなオープンショーケースで、ケース本体が低いセミハイケースと呼ばれるオープンショーケースでは、買物客が陳列室内の商品を購入するときに、ケース本体上部のキャノピー部の出っ張りが気にならないように、天井パネルの奥行き寸法を、一般的なオープンショーケースよりも小さくしてキャノピー部を後退させるようにしている。
【先行技術文献】
【特許文献】
【０００３】
【特許文献１】  特開２０１１−２５００４号公報
【考案の概要】
【考案が解決しようとする課題】
【０００４】  しかし、キャノピー部を後退させると、冷気を吹き出す吹出口も後方に位置することになるため、エアカーテンの整流に難点があり、一般的なオープンショーケースに比べて陳列室内の冷却効率が低く、冷凍機の圧縮機の発停が頻繁となり、消費電力が大きいという問題があった。また、従来、冷却器を囲うダクト内に冷気を循環させ、ショーケースの背面、天面、或いは側面に断熱材を設けているが、エアカーテンの整流に難点があるときなど、上記断熱材の断熱効果が限定的であり、これによっても冷凍機の圧縮機の発停が頻繁となり、消費電力が大きくなる問題があった。
そこで、本考案の目的は、上述した従来の技術が有する課題を解消し、冷却効率を高めて冷凍機の圧縮機の発停を減少し、省エネルギ化が図れる構造としたオープンショーケースを提供することにある。
【課題を解決するための手段】
【０００５】  本考案は、ケース本体内に前面が開口した陳列室を形成し、陳列室の上部前端に設けた吹出口から下方に向けて吹き出され、陳列室の下部前端に設けた吸込口に吸い込まれる冷気のエアカーテンで陳列室の開口部を覆うことにより陳列室内を冷却するオープンショーケースにおいて、前記冷気を循環するダクトに蓄熱パネル体を設け、この蓄熱パネル体が、一対のパネル材の間に多数の中空筒状体が散在し、それぞれの中空筒状体の間に互いに連通した隙間が形成されたパネル体を備え、当該パネル体の縁部の隙間を封止してパネル体を容器とするための一対の表面シート材がパネル体の表裏面に重ねられ、これら表面シート材を容器の縁部を画定する溶着予定線に沿ってパネル体とともに熱溶着してパネル体の周囲を封じ、一対のパネル材間の互いに連通した隙間部分に潜熱型の蓄熱材を充填して構成されていることを特徴とする。【０００６】  この考案では、ダクトに蓄熱パネル体が設けられているため、オープンショーケースにおいて、サーモオンの実行中は陳列室内の温度が下降し、潜熱型の蓄熱材が放熱して凝固（結晶化）する。そして、陳列室内の温度が上昇し始めると、ただちにサーモオフとはならず、蓄熱パネル体の蓄熱材が融解して吸熱し、陳列室内の冷却が進められ、送風機の送風により陳列室内の温度がオープンショーケースに好適な低い温度域に維持される。ここで蓄熱材を、凝固点温度以下で一定に冷やされ、融解時に一定の温度を長時間保つ特長がある低温型潜熱蓄熱材とすれば、蓄熱パネル体により長時間に亘って陳列室内の温度が低い温度域に維持される。蓄熱パネル体の吸熱容量を超えて陳列室内の温度が上昇してくると、冷凍機の圧縮機がサーモオンして冷却が開始され、さらに、所定温度に到達すると、サーモオフして圧縮機の駆動が停止され、このサーモオン、サーモオフが繰り返されて陳列室内の温度がオープンショーケースに好適な一定範囲の低い温度域に制御される。この考案では、サーモオフからサーモオンへのインターバルが長くなり、冷凍機の圧縮機の発停回数が減り、消エネルギ化が図られる。【０００７】  この場合において、前記ダクトの内面に前記蓄熱パネル体を貼り合わせてもよい。
前記陳列室の陳列棚の裏面に前記蓄熱パネル体を貼り合わせてもよい。
前記蓄熱パネル体が、複数の袋状凹部を備える一対のパネル材を有し、各パネル材の袋状凹部の底部同士を当接させ各パネル材を重ね合わせてパネル体を形成し、一対のパネル材間の互いに連通した隙間部分に潜熱型の蓄熱材を充填して構成されていてもよい。
前記袋状凹部が前記底部に向かって縮径させてもよい。
前記蓄熱パネル体が、複数の袋状凹部を備える一枚のパネル材と、このパネル材の袋状凹部の底部に当接させた一枚の板状部材とを重ね合わせてパネル体を形成し、このパネル体の間の互いに連通した隙間部分に潜熱型の蓄熱材を充填して構成されていてもよい。
【考案の効果】
【０００８】  本考案では、オープンショーケースにおいて、サーモオフからサーモオンへのインターバルが長くなり、冷凍機の発停回数が減り、消エネルギ化が図られる。
【図面の簡単な説明】
【０００９】
【図１】  本考案に係るオープンショーケースの断面図である。
【図２】  蓄熱パネル体の斜視図である。
【図３】  蓄熱パネル体の断面図である。
【図４】  蓄熱パネル体の製造方法を示す図である。
【図５】  蓄熱パネル体の製造方法を示す図である。
【図６】  蓄熱パネル体の製造方法を示す図である。
【図７】  別実施の形態による蓄熱パネル体の断面図である。
【図８】  別実施の形態による蓄熱パネル体の断面図である。
【考案を実施するための形態】
【００１０】  以下、本考案の一実施の形態を添付した図面を参照して説明する。
図１において、オープンショーケース６１は、断熱壁６２により構成されたケース本体６３内に前面が開口し、内部に複数の陳列棚６４ａを設けた多段式の陳列室６４を形成し、ケース本体６３の底面板６３ａの下部、背面板６３ｂの後部及び天面板６３ｃの上部にダクト６５を設けるとともに、ダクト６５内に冷凍機を構成する冷却器６６及び送風機６７等を配置し、陳列室６４の上部前端に設けた吹出口６８から吹き出されて陳列室６４の下部前端に設けた吸込口６９に吸い込まれる冷気のエアカーテンＡで陳列室６４の開口部を覆うことにより陳列室６４内を冷却するようにしている。
吹出口６８の後部側の天面板６３ｃの下面には、最上段の陳列棚６４ａを照らすための天井照明７０が設けられている。
【００１１】  冷却器６６は、図示を省略した圧縮機、凝縮器及び減圧装置などに冷媒配管で閉ループ状に接続されて冷凍機が構成されている。
本実施の形態では、ダクト６５の内面に、それぞれ蓄熱パネル体１ａ，１ｂ，１ｃ，１ｄが貼り合わされ、陳列棚６４ａの裏面に対し、それぞれ蓄熱パネル体１ｅ，１ｆ，１ｇ，１ｈが貼り合わされている。また、ケース本体６３の底部を形成する断熱壁６２の上面にも蓄熱パネル体１ｉが貼り合わされている。
この蓄熱パネル体１ａ〜１ｉは、例えば低温型潜熱蓄熱材を充填するもので、厚さが５〜１５ｍｍと薄形平板状で、剛性も高く、熱容量が膨大で、陳列室６４内の冷気に放熱して凝固し、陳列室６４内の温度が上昇し始めると融解して吸熱する。すなわち低温型潜熱蓄熱材は凝固点温度以下で一定に冷やされた蓄熱材が、融解時に一定の温度を長時間保つ特長があり、しかも通常の保冷材のように、氷点下温度域で結晶化するのではなく、オープンショーケース６１に好適な温度域で結晶化する。この低温型潜熱蓄熱材は、特別な冷凍装置でなく、オープンショーケース６１で結晶化するため、上記蓄熱パネル体１ａ〜１ｉの蓄熱材として好適である。
尚、蓄熱パネル体１ａ〜１ｉの蓄熱材は、上記低温型潜熱蓄熱材に限定されるものではなく、陳列室６４内の冷気に放熱して凝固し、陳列室６４内の温度上昇により融解して吸熱する材料であればよい。
【００１２】  蓄熱パネル体１ａ〜１ｉは、それぞれ大きさは異なるが、すべて同一の構造となっており、以下に示す如く製造されている。
すなわち図２は蓄熱パネル体１（１ａ〜１ｉ）の一部を切り欠いて示す斜視図であり、図３は蓄熱パネル体１の断面図である。
蓄熱パネル体１は、低温型潜熱蓄熱材５が充填されたパネル状の構造体として構成され、ダクト６５の内面及び陳列棚６４ａの裏面に張り合わされる。蓄熱パネル体１は、板状の樹脂製で中空のパネル体８の表裏面を樹脂製の表面シート材９で覆って容器を形成し該容器に蓄熱材５を充填して構成される。
【００１３】  パネル体８は、底部に向かって縮径した所定の高さの円錐台形状（すり鉢状や円柱状でもよい）の凹部である袋状凹部１３が千鳥格子状に設けられた２枚の樹脂製のパネル材２を、袋状凹部１３の底部同士が当接するように重ね合わせて接合して形成されている。すなわち、パネル体８には、２枚のパネル材２の間に、胴部が括れた形状（いわゆる、砂時計形状）の多数の中空筒状体１１が散在し、また、それぞれの中空筒状体１１の間には互いに連通した隙間１２が形成される。
【００１４】  パネル体８にあっては、各中空筒状体１１により剛性が高められ、また、軽量化が図られる。このように剛性に優れ軽量なパネル体８を、袋状凹部１３を予め設けた２枚のパネル材を貼り合わせるだけで簡単に製作できる。上記表面シート材９は、パネル体８の縁部の隙間１２を封止し、パネル体８を容器３２（図６）とするもので、表面シート材９には樹脂製の硬質シートが用いられる。
蓄熱材５には、固相−液相の間で状態を変化させて蓄熱する各種の低温型潜熱蓄熱材が使用され、例えば硫酸ナトリウム１０水塩を主成分とし、食塩水及び水分を吸収した樹脂材を添加することで得られる。
【００１５】  図４乃至図６を参照して説明すると、パネル体８は、２枚のパネル材２を貼り合わせて形成するため、図４（Ａ）に示すように、その端面（縁部）３０が開放している。したがって、パネル材２の間の隙間１２に蓄熱材５を充填するためには、容器を形成する必要がある。容器の形成に際しては、端面３０を閉塞するように、例えば帯状の閉塞用の板材を端面３０に宛がって接合し容器を構成することが考えられる。しかしながら、この場合には、端面３０が平滑な面でないと、閉塞用板材と端面３０の間に隙間が生じ、蓄熱材５が漏れてしまうし、これを防止するために、端面３０を平滑に面出しするのは非常に労力が要る。そこで、本実施形態では、図４（Ｂ）に示すように、パネル体８の表裏面に、樹脂製の硬質シートである表面シート材９を重ねた後、パネル体８の表裏の面全体を加熱加圧して表面シート材９を接合する。表面シート材９には、例えばＰＰ（ポリプロピレン）やＰＥＴ（ポリエチレンテレフタラート）や塩化ビニール、スチロール等の硬質な熱可塑性の樹脂材が好適に用いられる。
【００１６】  次いで図５（Ａ）に示すように、パネル体８の表裏面のいずれかの面の表面シート材９を、容器３２の縁部を画定する溶着予定線Ｉ〜ＩＶに沿って加熱しながら押圧し、パネル体８とともに熱溶着してパネル体８の周囲を封じる。そして、図５（Ｂ）に示すように、上記溶着予定線Ｉ〜ＩＶに沿って表面シート材９を切り落として密封の容器３２を形成する。なお、表面シート材９が無い状態でもパネル体８の縁部を熱溶着することで容器３２を形成することは可能であるが、この場合には、パネル体８を構成するパネル材２の厚みが十分でないと、熱溶着箇所が延びて肉薄になったときに破けて穴が生じる。これに対して、表面シート材９を用いることで、破ける危険性を容易に回避することができ、また、表面の剛性や平坦性を確保することができる。
【００１７】  容器３２を形成した後、図５（Ｃ）に示すように、容器３２の上端部３２Ａに蓄熱材５を注入する注入口３５、及びエア抜きのためのエア抜き孔３６を形成する。そして、図示しない治具で容器３２を起立保持し、注入口３５に接続した注入管から容器３２に蓄熱材５を充填する。そして、図６（Ａ）に示すように、注入口３５、及びエア抜き孔３６の下側に規定した溶着予定線Ｖに沿って表面シート材９を加熱押圧して熱溶着し、図６（Ｂ）に示すように、溶着予定線Ｖに沿って切り落として容器３２を分断する。蓄熱材５を密封した蓄熱パネル体１が形成される。
【００１８】  本構成では、パネル体８を構成する２枚のパネル材２を熱溶着して容器３２を形成するため、密封性の高い容器３２を簡単に製造することができる。更に、パネル体８の表裏面に、樹脂製の硬質シートから成る表面シート材９を設けて熱溶着するため、溶着部分の破けが防止され液漏れを確実に防止することができる。
尚、蓄熱パネル体１ａ〜１ｉは、上記実施の形態に限定されない。例えば、図７に示すように、パネル体８にあっては、袋状凹部１３を設けた１枚のパネル材２と、袋状凹部１３を設けない単なる平板状のパネル材２Ａとを貼り合わせ、上記と同様に表面シート材９によりパネル体８の縁部の隙間１２を封止し容器３２（図６）として、その内部に潜熱型の蓄熱材５を充填してもよい。
【００１９】  このオープンショーケース６１では、図１を参照し、冷凍機の圧縮機（不図示）が駆動されると、冷媒が循環し、冷却器６６が蒸発器として機能する。
送風機６７により冷却器６６に送風されるとダクト６５内を冷気が循環し、陳列室６４の上部前端に設けた吹出口６８から吹き出されて陳列室６４の下部前端に設けた吸込口６９に吸い込まれる冷気のエアカーテンＡが生成される。冷気のエアカーテンＡで陳列室６４の開口部を覆うことにより陳列室６４内が冷却される。
陳列室６４内には所定位置に温度センサ（不図示）が配置され、陳列室６４内の温度が所定温度を上回るとサーモオンして圧縮機が駆動され、所定温度に到達すると、サーモオフして圧縮機の駆動が停止される。このサーモオン、サーモオフが繰り返されて、陳列室６４内の温度が一定範囲の温度域に制御される。
【００２０】  このオープンショーケース６１は、コンビニエンスストアなどの店舗に設置されるものであり、店舗内への人の出入りなどで店舗内に外気が入ると、この外気により冷気のエアカーテンＡが乱され、陳列室内の冷却効率が低くなり、冷凍機の圧縮機の発停が頻繁となり、消費電力が大きくなる。
【００２１】  本実施の形態では、ダクト６５の内面に蓄熱パネル体１ａ，１ｂ，１ｃ，１ｄが貼り合わされ、陳列棚６４ａの裏面に対し蓄熱パネル体１ｅ，１ｆ，１ｇ，１ｈが貼り合わされ、ケース本体６３の底部を形成する断熱壁６２の上面にも蓄熱パネル体１ｉが貼り合わされているため、サーモオンの実行中は陳列室６４内の温度が降下して、潜熱型の蓄熱材５が放熱して凝固（結晶化）する。
そして、陳列室６４内の温度が上昇し始めると、ただちにサーモオフとはならず、蓄熱パネル体１の蓄熱材５が融解して吸熱し、陳列室６４内の冷却が進められ、送風機６７の送風により陳列室６４内の温度がオープンショーケース６１に好適な低い温度域に維持される。この蓄熱材５は、上述したように、凝固点温度以下で一定に冷やされ、融解時に一定の温度を長時間保つ特長がある低温型潜熱蓄熱材であり、蓄熱パネル体１により長時間に亘って陳列室６４内の温度が低い温度域に維持される。蓄熱パネル体１の吸熱容量を超えて陳列室６４内の温度が上昇すると、冷凍機の圧縮機（不図示）がサーモオンして冷却が開始され、さらに、所定温度に到達すると、サーモオフして圧縮機の駆動が停止され、このサーモオン、サーモオフが繰り返されて陳列室６４内の温度がオープンショーケース６１に好適な一定範囲の低い温度域に制御される。
この構成では、ケース本体６３内の各所に、蓄熱パネル体１ａ〜１ｉが貼り合わされているため、サーモオフからサーモオンへのインターバルが長くなり、圧縮機の発停回数が減り、消エネルギ化が図られる。
【００２２】  蓄熱パネル体１は、厚さが５〜１５ｍｍの薄形平板状に構成されている。したがって、ケース本体６３内の狭隘な各所に、すなわちダクト６５の内面や陳列棚６４ａの裏面やケース本体６３の底部を形成する断熱壁６２の上面などの狭隘な各所に、蓄熱パネル体１ａ〜１ｉを簡単に設置できる。また、蓄熱パネル体１の厚さ方向には多数の中空筒状体１１が散在するため、中空筒状体１１の表面を伝って冷気の熱が蓄熱パネル体１の深部（厚さ方向）に到達する。このため、冷気と蓄熱材５との間の蓄熱、放熱が円滑に行われ、サーモオン実行中における熱交換効率が向上する。
【００２３】  また、蓄熱パネル体１ａ〜１ｉは、パネル体８の中に袋状凹部１３が点在するため、パネル体８に充填された蓄熱材５を熱が伝導する際に適度な抵抗となり、袋状凹部１３が無い場合に比べて蓄熱材５の熱応答性を向上できる。蓄熱材５に袋状凹部１３が点在するため、蓄熱材５の深部（厚さ方向）にまで袋状凹部１３の表面を伝って冷気の熱が伝えられるため熱交換効率の向上が得られる。更に、袋状凹部１３が予め形成された２枚のパネル材を貼り合わせるだけで、上記のような各種の効果を有するパネル体８を簡単に作ることができ、また、袋状凹部１３の底部同士が当接するパネル構造であるから剛性が高く軽量な蓄熱パネル体１が得られる。
【００２４】  また本実施形態では、パネル体８の表裏面に樹脂製の硬質シートを表面シート材９として重ね合わせ、これらの表面シート材９をパネル体８の縁に沿って加熱加圧して溶着し密封する構成とした。よって、パネル体８を構成する２枚のパネル材２を加熱加圧して容器３２を形成するため、密封性の高い容器３２を簡単に製造することができる。更に、パネル体８の表裏面に、樹脂製の硬質シートから成る表面シート材９を設けて溶着するため、溶着部分の破けが防止され液漏れを確実に防止することができる。パネル体８の表面が表面シート材９で覆われることで袋状凹部１３には空気が密封されるが、空気は蓄熱材５に比べて蓄熱量が非常に小さいため、当該蓄熱パネル体１の蓄熱性能に影響を与えることがなく、蓄熱材５の充填量だけを考慮して蓄熱性能を設計できる。パネル体８の容積に占める袋状凹部１３の容積を調節することで、蓄熱材５の充填量を調整することができ、蓄熱パネル体１の蓄熱性能を所望の性能とすることができる。袋状凹部１３の容積は、袋状凹部１３の数や寸法（開口径や深さ方向の縮径率）、形状（円錐やすり鉢状、円柱など）を変えるだけで簡単に調整できる。
【００２５】  図８は、別の実施の形態を示す。蓄熱パネル体１００は、パネル材２の凹部（袋状凹部）１３に電磁波を反射する反射面が構成されている。すなわち、袋状凹部１３の内面には電磁波遮蔽素材としてのアルミニウム箔１４が張設され、このアルミニウム箔１４により蓄熱パネル体１００に進入する電磁波が反射される。表面シート材１０９は、上記実施の形態の表面シート材９とは異なり、接合用樹脂シート２１と、硬質樹脂シート２２と、電磁波遮蔽層２３とを、この順で積層して構成されている。電磁波遮蔽層２３は、例えば１０μｍ程度の厚みに形成された薄いアルミニウム箔、或いは、硬質樹脂シート２２の表面に蒸着等により形成されたアルミニウム層により構成されており、蓄熱パネル体１００に入射する電磁波を反射する。
【００２６】  接合用樹脂シート２１には、パネル体８の素材（本実施形態では、ＰＰ：ポリプロピレン）と同質の素材から成る平滑なシートが用いられている。また、硬質樹脂シート２２には、例えばＰＥＴ（ポリエチレンテレフタラート）や塩化ビニール、スチロール等の比較的硬質な熱可塑性の樹脂材が用いられる。この硬質樹脂シート２２により、蓄熱パネル体１の平坦性及び強度が高められる。
接合用樹脂シート２１、硬質樹脂シート２２、及び電磁波遮蔽層２３には、それぞれの融点が接合用樹脂シート２１＜硬質樹脂シート２２＜電磁波遮蔽層２３を満足する素材が選定されている。蓄熱パネル体１００の成型時には、硬質樹脂シート２２が溶融する程度に加熱しながら表面シート材９を押圧し、硬質樹脂シート２２の下層の接合用樹脂シート２１にも適度に溶融を生じさせ、この接合用樹脂シート２１とパネル体８の間の接合、接合用樹脂シート２１と硬質樹脂シート２２の間の接合、及び、硬質樹脂シート２２と電磁波遮蔽層２３の間の接合を一度に行う。
【００２７】  この蓄熱パネル体１００では、電磁波Ｈが入射すると、その一部Ｈ１が電磁波遮蔽層２３によって反射され、残りが袋状凹部１３に入射する。袋状凹部１３に入射した電磁波Ｈは、その一部の電磁波Ｈ２が内面のアルミニウム箔１４により外部に向けて反射される。これに加え、袋状凹部１３は、内面が曲面を描くカップ状であるため、電磁波Ｈが、この袋状凹部１３内で複数回の反射を繰り返し、各反射で電磁波Ｈ２の吸収や拡散、電磁波同士の干渉による打ち消し合いが生じて速やかに減衰される。
このように、袋状凹部１３は、電磁波の単なる反射に加え、電磁波を反復反射させることで吸収や拡散、電磁波同士の干渉を生じさせて電磁波を速やかに減衰させるので、電磁波遮蔽性に非常に優れたものとなる。
上述した各実施形態は、あくまでも本考案の一態様を示すものであり、本考案の範囲内で任意に変形及び応用が可能であることは勿論である。
【符号の説明】
【００２８】１、１００  蓄熱パネル体
２  パネル材
５  蓄熱材
８  パネル体
９、１０９  表面シート材
１１  中空筒状体
１２  隙間
１３  袋状凹部
６１  オープンショーケース
６３  ケース本体
６４  陳列室
６４ａ  陳列棚
６５  ダクト
６６  冷却器
６７  送風機
６８  吹出口
６９  吸込口
【図１】
0003168321.tif 000003
【図２】
0003168321.tif 000004
【図３】
0003168321.tif 000005
【図４】
0003168321.tif 000006
【図５】
0003168321.tif 000007
【図６】
0003168321.tif 000008
【図７】
0003168321.tif 000009
【図８】
0003168321.tif 000010